(57)【要約】      （修正有）【課題】信頼性を確保しつつ通信待機状態での電力消費を抑える。【解決手段】通信端末装置４０は、外部装置３０との通信が可能である。該通信端末装置は、電源１７と、外部装置から特定コマンドを受信した時間間隔を計測する時間計測手段１３と、計測された時間間隔に応じて、電源のオン状態を維持するオン維持時間を設定する時間設定手段１４，１５と、特定コマンドを受信した後、オン維持時間が経過する前は電源をオン状態に維持し、オン維持時間が経過したことに応じて該電源をオフ状態にする制御手段１２，１６とを有する。【選択図】図１
2015133584.tif 000002
【特許請求の範囲】
【請求項１】
外部装置との通信が可能な通信端末装置であって、
電源と、
前記外部装置から特定コマンドを受信した時間間隔を計測する時間計測手段と、 
計測された前記時間間隔に応じて、前記電源のオン状態を維持するオン維持時間を設定する時間設定手段と、
前記特定コマンドを受信した後、前記オン維持時間が経過する前は前記電源をオン状態に維持し、前記オン維持時間が経過したことに応じて該電源をオフ状態にする制御手段とを有することを特徴とする通信端末装置。 
【請求項２】
前記特定コマンドは、前記電源がオン状態にある該通信端末装置から取得可能な情報の送信を要求するコマンドであり、
前記制御手段は、前記電源がオフ状態にあるときに前記特定コマンドを受信することに応じて、該電源をオン状態にすることを特徴とする請求項１に記載の通信端末装置。
【請求項３】
前記時間設定手段は、前記特定コマンドを受信するごとに前記時間間隔を保存し、
保存された複数の前記時間間隔を用いて前記オン維持時間を算出することを特徴とする請求項１または２に記載の通信端末装置。
【請求項４】
前記制御手段は、前記オン維持時間が所定の制限時間を超える場合は、前記特定コマンドを受信した後、前記制限時間を経過したことに応じて前記電源をオフ状態にすることを特徴とする請求項１から３のいずれか一項に記載の通信端末装置。
【請求項５】
電源を有し、外部装置との通信が可能な通信端末装置の電源制御方法であって、
前記外部装置から特定コマンドを受信した時間間隔を計測し、
計測された前記時間間隔に応じて、前記電源のオン状態を維持するオン維持時間を設定し、
前記特定コマンドを受信した後、前記オン維持時間が経過する前は前記電源をオン状態に維持し、前記オン維持時間が経過したことに応じて該電源をオフ状態にすることを特徴とする電源制御方法。 
【請求項６】
電源を有し、外部装置との通信が可能な通信端末装置のコンピュータに電源制御を行わせるコンピュータプログラムであって、
前記電源制御は、
前記外部装置から特定コマンドを受信した時間間隔を計測し、
計測された前記時間間隔に応じて、前記電源のオン状態を維持するオン維持時間を設定し、
前記特定コマンドを受信した後、前記オン維持時間が経過する前は前記電源をオン状態に維持し、前記オン維持時間が経過したことに応じて該電源をオフ状態にすることを特徴とする電源制御プログラム。 
【発明の詳細な説明】
【技術分野】
【０００１】
本発明は、通信端末装置に関し、特に電源制御機能を有する通信端末装置に関する。
【背景技術】
【０００２】
ネットワークに接続される通信端末装置において、待機状態での消費電力を削減するために以下のような技術が知られている。端末装置は、ネットワークを介して接続されたホストから要求があったときにのみ該端末装置のメイン回路の電源を投入して処理を行う。そして、該処理の終了後には、メイン回路の電源を切って、再び待機状態に戻る。
【０００３】
特許文献１には、補助電源から常に電源が供給される電源投入要求監視装置によってホストから送信されるコマンドを監視し、電源投入要求コマンドが検出されたときにメイン回路の電源を投入する技術が開示されている。
【０００４】
また、特許文献２には、受信したデータを電源から常に電源電力が供給されるローカルメモリに記録しておき、メイン電源が投入されたときに該受信データの内容を確認する技術が開示されている。この技術では、受信データが電源制御信号である場合には処理を継続し、電源制御信号でない場合にはメイン電源をオフする。
【先行技術文献】
【特許文献】
【０００５】
【特許文献１】特開平０３−２１２７１６号公報
【特許文献２】特開平０７−１６０５２６号公報
【発明の概要】
【発明が解決しようとする課題】
【０００６】
しかしながら、特許文献１，２に開示された技術では、短時間の間に連続してホストから要求があった場合に、通信端末装置はその都度メイン回路の電源のオン／オフを繰り返す。このため、メイン回路を構成する電気素子に過度の負荷がかかり、メイン回路の信頼性が損なわれるという問題がある。 
【０００７】
本発明は、信頼性を確保しつつ通信待機状態での電力消費を抑えることが可能な通信端末装置、電源制御方法および電源制御プログラムを提供する。
【課題を解決するための手段】
【０００８】
上記目的を達成するために、本発明の一側面としての通信端末装置は、外部装置との通信が可能である。該通信端末装置は、電源と、外部装置から特定コマンドを受信した時間間隔を計測する時間計測手段と、計測された時間間隔に応じて、該通信端末装置の電源のオン状態を維持するオン維持時間を設定する時間設定手段と、特定コマンドを受信した後、オン維持時間が経過する前は通信端末装置の電源をオン状態に維持し、オン維持時間が経過したことに応じて該電源をオフ状態にする制御手段とを有することを特徴とする。
【０００９】
また、本発明の他の一側面としての電源制御方法は、電源を有し、外部装置との通信が可能な通信端末装置に適用される。該電源制御方法は、外部装置から特定コマンドを受信した時間間隔を計測し、計測された時間間隔に応じて、電源のオン状態を維持するオン維持時間を設定し、特定コマンドを受信した後、オン維持時間が経過する前は電源をオン状態に維持し、オン維持時間が経過したことに応じて該電源をオフ状態にすることを特徴とする。
【００１０】
さらに、本発明の他の一側面としての電源制御プログラムは、電源を有し、外部装置との通信が可能な通信端末装置のコンピュータに電源制御を行わせるコンピュータプログラムである。該電源制御は、外部装置から特定コマンドを受信した時間間隔を計測し、計測された時間間隔に応じて、電源のオン状態を維持するオン維持時間を設定し、特定コマンドを受信した後、オン維持時間が経過する前は電源をオン状態に維持し、オン維持時間が経過したことに応じて該電源をオフ状態にすることを特徴とする。 
【発明の効果】
【００１１】
本発明によれば、通信端末装置の信頼性を確保しつつ、外部装置からの特定コマンドの通信を待つ待機状態での通信端末装置の電源の電力消費を抑えることができる。
【図面の簡単な説明】
【００１２】
【図１】本発明の実施例である画像投射装置の構成を示すブロック図。
【図２】実施例の画像投射装置のメイン回路の構成を示すブロック図。
【図３】実施例の画像投射装置の動作を示すフローチャート。
【図４】実施例の画像投射装置の動作を示すタイミングチャート。
【発明を実施するための形態】
【００１３】
以下、本発明の実施例について図面を参照しながら説明する。
【実施例】
【００１４】
図１には、本発明の実施例１である通信端末装置としての画像投射装置（プロジェクタ）４０の構成を示している。この画像投射装置４０は、不図示のパーソナルコンピュータや映像機器等の外部装置（以下、ホストという）３０との通信が可能である。
【００１５】
図１において、メイン電源１７は、画像投射装置４０に含まれるメイン回路２０に電力を供給する。メイン電源１７は、後述する電源制御部１６によってオン／オフ制御される。
【００１６】
常時電源１８は、シリアルインターフェース１１、サブＭＰＵ１２、時間計測部１３、通信間隔履歴保存部１４、通信間隔評価部１５および電源制御部１６に対して、画像投射装置４０の電源スイッチ（メインスイッチ）のオン／オフにかかわらず常に電力を供給する。
【００１７】
シリアルインターフェース１１は、ホスト３０とシリアル通信可能に接続するためのインターフェースであり、例えばＲＳ２３２Ｃ用インターフェースが用いられる。なお、ホスト３０との通信方式として、シリアルに代えて、ＬＡＮ等の他の通信方式を用いてもよい。
【００１８】
サブＭＰＵ１２は、シリアルインターフェース１１と接続されており、シリアル通信の制御を行う。このサブＭＰＵ１２は、ホスト３０から送信されてきたコマンドを解読し、該コマンドに応じた処理を行う。また、サブＭＰＵ１２は、メイン回路２０内に設けられた後述するメインＭＰＵ２１とも接続されており、メインＭＰＵ２１と情報のやり取りを行う。そして、サブＭＰＵ１２は、メインＭＰＵ２１とホスト３０との間での情報を送受するための通信を行う。
【００１９】
さらに、サブＭＰＵ１２は、時間計測部１３とも接続されている。サブＭＰＵ１２は、ホスト３０から、メイン電源１７をオンにさせる電源オンコマンドを除いてメイン電源１７がオン状態になければ応答できない特定コマンドを受信した際に、時間計測部１３に信号を出力する。メイン電源１７がオン状態になければ応答できない特定コマンドとしては、例えば、メイン電源１７がオン状態になることによって通常動作するメインＭＰＵ２１が有する情報（メインＭＰＵ２１から取得可能な情報）を要求するコマンドである。以下の説明において、このようなメイン電源１７がオン状態になければ応答できない特定コマンドを、メイン電源オン必要コマンドと称する。
【００２０】
また、サブＭＰＵ１２は電源制御部１６にも接続されており、電源制御部１６を介して後述するメイン電源１７をオン／オフ制御する電源制御を行う。
【００２１】
時間計測部（時間計測手段）１３は、ホスト３０からメイン電源オン必要コマンドを受信した時間間隔を計測し、計測結果を通信間隔履歴保存部１４に送る。
【００２２】
通信間隔履歴保存部１４は、メイン電源オン必要コマンドを受信した時間間隔の履歴を保存する。また、通信間隔履歴保存部１４は、直近の複数回分（本実施例では３回分）の履歴を保存することができる。履歴の保存数は、直近３回分に限らず、他の回数分、例えば２回分や４回分でもよいし１回分でもよい。
【００２３】
通信間隔評価部１５は、通信間隔履歴保存部１４に保存された履歴に基づいて、次のメイン電源オン必要コマンドが送信されてくるのに備えてメイン電源１７のオンを維持する時間（以下、メイン電源オン維持時間という）を算出する。そして、その算出結果を電源制御部１６に送る。通信間隔履歴保存部１４および通信間隔評価部１５により、時間設定手段が構成される。
【００２４】
電源制御部１６は、サブＭＰＵ１２からのオン指令に応じてメイン電源１７のオン制御を行うとともに、通信間隔評価部１５で算出されたメイン電源維持時間に応じてメイン電源１７のオフ制御を行う。サブＭＰＵ１２と電源制御部１６とにより制御手段が構成される。
【００２５】
図２には、メイン回路２０の構成を示している。メイン回路２０は、画像入力部２２、画像処理部２３、パネル駆動部２４、液晶パネル２５、メインＭＰＵ２１、光源２７および光源駆動部２６を含む。メイン電源１７は、画像入力部２２、画像処理部２３、パネル駆動部２４、液晶パネル２５、メインＭＰＵ２１および光源駆動部２６に電力を供給する。
【００２６】
画像信号入力部２２は、映像信号入力用インターフェースを含み、外部からの映像信号の入力を受ける。入力された映像信号は、映像処理部２３に送られる。
【００２７】
映像処理部２３は、画像信号入力部２２からの入力映像信号に対して解像度変換、台形補正および画質補正（明るさ、コントラスト、色等の補正）を含む各種信号処理を行う。映像処理部２３から出力された映像信号は、パネル駆動部２４に入力される。
【００２８】
パネル駆動部２４は、映像処理部２３にて処理された映像信号に応じて光変調素子としての液晶パネル２５を駆動する。なお、液晶パネルは、透過型液晶パネルでも反射型液晶パネルでもよい。また、光変調素子として液晶パネル以外の素子、例えばデジタルマイクロミラーデバイスを用いてもよい。
【００２９】
一方、光源駆動部２６は、放電発光管やＬＥＤ等により構成される光源２７の点灯／消灯や光源２７への供給電力を一定に保つ等の光源駆動を行う。
【００３０】
メインＭＰＵ２１は、画像処理部２３および光源駆動部２６を制御する。
【００３１】
光源２７から発せられた光は、不図示の光学系を介して液晶パネル２５で画像変調される。画像変調された光は、投射レンズ２８によってスクリーン等の被投射面に投射される。
【００３２】
次に、図３のフローチャートを用いて、本実施例の画像投射装置４０における電源制御動作（電源制御方法）について説明する。この動作は、コンピュータとしてのサブＭＰＵ１２により、コンピュータプログラムとしての電源制御プログラムに従って実行される。
【００３３】
ステップ（図にはＳと記す）１では、サブＭＰＵ１２は、時間計測部１３のリセットを行い、計測時間を初期値に設定する。
【００３４】
次に、ステップ２では、サブＭＰＵ１２は、時間計測部１３による時間計測を開始させる。
【００３５】
次に、ステップ３では、サブＭＰＵ１２は、ホスト３０から上述したメイン電源オン必要コマンドが送信されてきたか否かを判別（監視）する。メイン電源オン必要コマンドが送信されてきた場合はステップ４に、そうでない場合はステップ９にそれぞれ進む。
【００３６】
ステップ４からステップ８までの処理は、ホスト３０からメイン電源オン必要コマンドが送信されてきたときに行われる処理である。ステップ４では、サブＭＰＵ１２は、時間計測部１３による計測時間（メイン電源オン必要コマンドが送信されてきた時間）のデータを通信間隔履歴保存部１４に保存させる。
【００３７】
次に、ステップ５では、サブＭＰＵ１２は、メイン電源１７がオン状態であるか否かを判別する。メイン電源１７がオン状態である場合はステップ７に、そうでない場合はメイン電源１７をオンするためにステップ６にそれぞれ進む。
【００３８】
ステップ６では、サブＭＰＵ１２は、電源制御部１６にオン指令を送り、メイン電源１７をオンさせ、メイン回路２０への電力供給を開始させる。そして、ステップ７に進む。
【００３９】
ステップ７では、サブＭＰＵ１２は、ホスト３０から送信されてきたメイン電源オン必要コマンドに対する処理を行う。例えば、メイン電源オン必要コマンドがメインＭＰＵ２１が持つ情報を要求するコマンドである場合は、サブＭＰＵ１２は、メインＭＰＵ２１が持つ情報をメインＭＰＵ２１から取得してホスト３０に送信する。
【００４０】
次に、ステップ８では、サブＭＰＵ１２は、通信間隔履歴保存部１４に保存された通信間隔履歴に基づいて、上述したように次のメイン電源オン必要コマンドに備えてメイン電源１７をオン状態のまま維持するメイン電源オン維持時間を算出する。メイン電源オン維持時間については後に詳述する。
【００４１】
ステップ９からステップ１２までの処理は、ホスト３０からメイン電源オン必要コマンドが送信されてくるまでの待機処理として行われる。
【００４２】
ステップ９では、サブＭＰＵ１２は、メイン電源１７がオン状態か否かを判別する。メイン電源１７がオン状態である場合はステップ１０に進み、そうでない場合はステップ３に進んでホスト３０からメイン電源オン必要コマンドが送信されてくるのを待つ。
【００４３】
ステップ１０では、サブＭＰＵ１２は、時間計測部１３による時間計測が、ステップ８で算出されたメイン電源オン維持時間を超えた（すなわちメイン電源オン維持時間が経過した）か否かを判断する。メイン電源オン維持時間が経過した場合はステップ１２に、そうでない場合はステップ１１にそれぞれ移行する。
【００４４】
ステップ１１では、サブＭＰＵ１２は、メイン電源オン維持時間とは無関係に、メイン電源１７がオン状態とされてからこのオン状態を維持する最大時間（制限時間）、例えば２０分が経過したか（時間計測が制限時間を超えたか）否かを判別する。この制限時間は、メイン電源１７のオン／オフが繰り返されても画像投射装置４０の信頼性を確保できる繰り返し周期に制限を設けることで、メイン電源１７のオン状態での維持時間が必要以上に長くなることを防止するために設けられている。なお、本実施例では制限時間を２０分とするが、画像投射装置４０の使用条件に応じて適宜変更してもよい。
【００４５】
ステップ１２では、サブＭＰＵ１２は、メイン電源１７をオフ状態にする。その後、ステップ３に戻って、ホスト３０からメイン電源オン必要コマンドが送信されてくるのを待つ。
【００４６】
次に、図４のタイミングチャートを用いて、メイン電源オン維持時間について説明する。このタイミングチャートは、ホスト３０からサブＭＰＵ１２へのメイン電源オン必要コマンドの通信の時間間隔とメイン電源オン維持時間との時間的関係を表している。図中のａ〜ｆは前のメイン電源オン必要コマンドの通信から次のメイン電源オン必要コマンドの通信までの時間間隔（以下、通信間隔という）を表しており、それぞれ異なる通信時間を示す。
【００４７】
メイン電源オン維持時間は、通信間隔履歴保存部１４に保存された直近３回分の通信間隔履歴の平均値に設定される。例えば、通信間隔ｄにおけるメイン電源オン維持時間は、その直近３回の通信間隔ａ，ｂ，ｃの平均時間（ａ＋ｂ＋ｃ）／３となる。同様に、通信間隔ｆにおけるメイン電源オン維持時間は、その直近３回の通信間隔ｃ，ｄ，ｅの平均時間（ｃ＋ｄ＋ｅ）／３となる。
【００４８】
通信間隔履歴保存部１４での履歴の保存数が２回分である場合は、例えば通信間隔ｄにおけるメイン電源オン維持時間は、その直近２回の通信間隔ｂ，ｃの平均時間（ｂ＋ｃ）／２とすればよい。また、履歴の保存数が１回分である場合は、例えば通信間隔ｄにおけるメイン電源オン維持時間は、その直近１回の通信間隔ｃと同じとすればよい。さらに、直近複数回の通信間隔の平均時間または直近１回の通信間隔と同じ時間に、所定の余裕時間を加算してメイン電源オン維持時間を設定してもよい。
【００４９】
さらに、メイン電源オン維持時間を、直近複数回の通信間隔の平均値以外の値としてもよい。例えば、直近複数回の通信間隔の中央値としたり二乗平均値としたり最大値としたりしてもよい。
【００５０】
以上説明したように、本実施例によれば、信頼性を確保しながら通信待機状態でのメイン電源１７の電力消費を抑えることができる。
【００５１】
なお、上記実施例では、通信端末装置としての画像投射装置について説明したが、画像投射装置以外の光学機器や電子機器等の各種装置を通信端末装置として用いることができる。
【００５２】
以上説明した各実施例は代表的な例にすぎず、本発明の実施に際しては、各実施例に対して種々の変形や変更が可能である。
【産業上の利用可能性】
【００５３】
通信待機状態での消費電力を少なくすることができる通信端末装置や画像投射装置等のシステム装置を提供できる。
【符号の説明】
【００５４】
１１  シリアルインターフェース
１２  サブＭＰＵ
１３  時間計測部
１４  通信履歴間隔保存部
１５  通信間隔評価部
１６  電源制御部
１７  メイン電源
４０  画像投射装置
【図１】
2015133584.tif 000003
【図２】
2015133584.tif 000004
【図３】
2015133584.tif 000005
【図４】
2015133584.tif 000006